(57)【要約】【課題】  部材の増加、工数の増加及びケースの強度劣化等の問題を招くことなく、発光ＬＥＤからの発光を有効に導光しつつ、照光部の光漏れを防止するための電子機器の照光部の構造及び照光部材を提供する。【解決手段】  発光素子が実装されたプリント基板と、前記プリント基板を収容し、照光部を持つ筐体と、前記照光部は、前記筐体に設けた照光窓部と前記発光素子からの光で照光される照光部材とからなり、この照光部材は、前記光を遮光するための外層部と前記光を導光し、前記照光窓部から照光する内層部とからなる。【選択図】  図３
2006216609.tif 000002
【特許請求の範囲】
【請求項１】
発光素子が実装されたプリント基板と、
前記プリント基板を収容し、照光部を持つ筐体と、
前記照光部は、前記筐体に設けた照光窓部と前記発光素子からの光で照光される照光部材とからなり、
この照光部材は、前記光を遮光するための外層部と前記光を導光し、前記照光窓部から照光する内層部とからなることを特徴とする照光部の構造。
【請求項２】
前記照光部材は、二色成形により作製されたことを特徴とする請求項１に記載の照光部の構造。
【請求項３】
前記筐体には、前記照光部材を保持するための保持部が設けられており、前記外層部には、前記保持部と嵌合するための嵌合部が設けられていることを特徴とする請求項２記載の照光部の構造。
【請求項４】
前記照光部材は、外層にメッキが施されたことを特徴とする請求項１に記載の照光部の構造。
【請求項５】
発光素子が実装されたプリント基板と、
前記プリント基板を収容し、照光部を持つ筐体と、
前記照光部は、前記筐体に設けた照光窓部と前記発光素子からの光で照光される照光部材とからなり、
この照光部材は、前記光を遮光するための外層部と前記光を導光し、前記照光窓部から照光する内層部とからなることを特徴とする照光部材。
【請求項６】
前記照光部材は、二色成形により作製されたことを特徴とする請求項５に記載の照光部材。
【請求項７】
前記筐体には、前記照光部材を保持するための保持部が設けられており、前記外層部には、前記保持部と嵌合するための嵌合部が設けられていることを特徴とする請求項６記載の照光部材。
【請求項８】
前記照光部材は、外層にメッキが施されたことを特徴とする請求項５に記載の照光部材。
【発明の詳細な説明】
【技術分野】
【０００１】
本発明は、電話機、ファクシミリ等の電気機器において、照明のための照光窓を有する照光部の光漏れ防止のための電子機器の照光部の構造及び照光部材に関する。
【背景技術】
【０００２】
図６は、電子機器において、従来のこの種の照光部の構成を示している。図６において、６１はプリント基板であり、その表面に発光ＬＥＤ６２が実装されている。６３はプリント基板６１を収納する上ケースであり、発光ＬＥＤ６２に対応する位置にそれぞれ照光窓６４が形成されている。上ケース６３には、発光ＬＥＤ６２の周囲を覆うように、プリント基板６１に向けて遮光リブ６３ａが形成されている。遮光リブ６３ａは、発光ＬＥＤ６２からの発光が電子機器内部に拡散するのを防止するためのものである。上ケース６３にはまた、発光ＬＥＤ６２からの発光を電子機器外部に導光するためのレンズ６５が組み付けられている。これによって、発光ＬＥＤ６２からの発光をレンズ６５が導光し、照光窓６４から電子機器外部に照らしている（発光Ｄ）。
【０００３】
この従来の照光部の構成では、発光ＬＥＤ６２からの発光は、上ケース６３にも導光されるため（発光Ａ及びＢ）、照光窓６４の周辺から光漏れが発生することがある。また、発光ＬＥＤ６２からの発光は、遮光リブ６３ａにも導光され（発光Ｃ）、電子機器内部にも拡散してしまうため、発光窓６４を十分に照らすことができない。これらの問題は、上ケース６３の成形材料色及び塗装材料色が白系である場合に特に発生していた。
これらの問題を解決すべく、図７にあるとおり、ＰＥＴ等で作製された遮光シート６６を上ケース６３に貼り付けることが考えられるが、部材の増加及び貼り付け工数の増加を招いてしまう。また、発光の全てを遮光等することはできない（発光Ｂ及びＣ）。これを解決すべく上ケース６３の立ち壁部分にも遮光シート６６を貼り付けようとすれば、さらなる部材の増加及び貼り付け工数の増加を招くのみならず、図８にあるとおり、遮光シート６６が上ケース６３とレンズ６５の隙間から見えてしまうという外観面での問題をも引き起こしてしまう。
【０００４】
これらの問題を解決すべく、発光ＬＥＤの周囲を囲み、光漏れを防止するための遮光部材を別途設けた構造がある（例えば、特許文献１参照。）。
【０００５】
しかし、この特許文献１の構造にあっても、部材の増加及び遮光部材の取り付け工数の増加は避けられない。また、照光窓の周囲への光漏れは防止できない。  
また、上ケース６３の成形材料自体の遮光性を上げるべく、材料成分中に酸化チタンを多く入れるという対策もあるが、酸化チタンの含有量によってはケースの強度劣化を招くという問題がある。
【特許文献１】実開平２−７６００号公報（図１、図３）
【発明の開示】
【発明が解決しようとする課題】
【０００６】
本発明は、上記の種々の問題点を解決するためになされたもので、部材の増加、工数の増加及びケースの強度劣化等の問題を招くことなく、発光ＬＥＤからの発光を有効に導光しつつ、照光部の光漏れを防止するための電子機器の照光部の構造及び照光部材を提供することを目的とする。
【課題を解決するための手段】
【０００７】
上記目的を達成するために、本発明の電子機器は、発光素子が実装されたプリント基板と、前記プリント基板を収容し、照光部を持つ筐体と、前記照光部は、前記筐体に設けた照光窓部と前記発光素子からの光で照光される照光部材とからなり、この照光部材は、前記光を遮光するための外層部と前記光を導光し、前記照光窓部から照光する内層部とからなることを特徴とする。
【発明の効果】
【０００８】
本発明は、発光素子が実装されたプリント基板と、前記プリント基板を収容し、照光部を持つ筐体と、前記照光部は、前記筐体に設けた照光窓部と前記発光素子からの光で照光される照光部材とからなり、この照光部材は、前記光を遮光するための外層部と前記光を導光し、前記照光窓部から照光する内層部とからなるようにしたので、部材の増加、工数の増加、外観上の見栄えの低下及びケースの強度劣化等の問題を招くことなく、発光ＬＥＤからの発光を有効に導光しつつ、照光部の光漏れを確実に防止することができる。
【発明を実施するための最良の形態】
【０００９】
以下に、本発明の電子機器の照光部の構造及び照光部材の第１の実施の形態を、図１乃至から図４を参照して説明する。
【００１０】
図１は、本発明を適用した携帯電話端末の斜視図である。図２は、本発明を適用した携帯電話端末の内部構成を示すブロック図である。
【００１１】
本発明を適用した携帯電話端末は図１に示すように、上ケース３３と、下ケース３６とを備えている。そして、上ケース３３側には、表示部３７、キー入力部３８及び照光部３９等が設けられている。表示部３７は、例えば、キー入力部３８から入力された各種データや発信者の電話番号、送信又は受信する電子メール情報などを表示する。キー入力部３８は、例えば、文字や数字を入力するためのデータ入力キーや通話開始キー、終話キー等のキー群を有する。照光部３９については後述する。
【００１２】
この携帯電話端末は、図２に示すように無線部１と、入出力部２と、制御部３と、電源部４とを有する。
【００１３】
無線部１は、アンテナ１１、デュプレクサ１２、送信部１３、受信部１４、シンセサイザ１５から構成され、所定の通信プロトコルに従い、この無線部１を介して無線信号の送受信を行う。
【００１４】
入出力部２は、発光ＬＥＤ３２、表示駆動部５１、表示部３７、マイク５２、レシーバ５３、キー入力部３８、スピーカ５４から構成されている。
【００１５】
制御部３は、ＲＯＭ２１、ＲＡＭ２２、マイクロプロセッサ２３から構成されている。ＲＯＭ２１は、端末の動作を制御する各種プログラムが記憶されている。ＲＡＭ２２は、各種データが記憶される記憶部であり、さらには、各種ワークメモリとしても利用される。
【００１６】
マイクロプロセッサ２３は、携帯電話端末全体の制御を司る制御部である。
【００１７】
制御部２は、利用者によってキー入力部３８から入力された各種データ及び発信者の電話番号等を表示部３７に表示したり、マイク５２から入力された音声、キー入力された電子メール情報などを無線部１から送信したり、無線部１を介して受信した相手の音声又は電子メール情報をレシーバ５３又は表示部３７から出力したり、通話着信やメール着信を報知するための着信報知を発光ＬＥＤ３２による発光やスピーカ５４で行ったりする。
【００１８】
発光ＬＥＤ３２は、照光部３９を携帯電話端末内部から照明するための光源である。この発光ＬＥＤ３２は、制御部２からの制御に基づいて、利用者の操作によって、又は通話着信やメール着信した時に点灯又は点滅する。これは、利用者が通話着信等があったときに照光部３９のレンズ３５を携帯電話端末内部から照らすことによって、利用者に通話着信等があったことを知らせるためのものである。なお、発光ＬＥＤ３２の発光の用途は、通話着信報知等以外の他の用途であってもよい。
【００１９】
電源部４は、電源４１、充電回路４２、電池４３から構成されており、携帯電話端末への電源供給を行っている。
【００２０】
尚、図２においては携帯電話端末が一般的に装備する構成を示したが、カメラやバイブレータ等を装備する携帯電話端末であっても良い。
【００２１】
図３は、図１における携帯電話端末の照光部３９のＸ−Ｘ断面図である。図３において、３１はプリント基板であり、その表面に発光ＬＥＤ３２が実装されている。３３はプリント基板３１を収納する上ケースであり、発光ＬＥＤ３２に対応する位置にそれぞれ照光窓３４が形成されている。上ケース３３には、発光ＬＥＤ３２からの発光を電子機器外部に導光するためのレンズ３５が組み付けられている。これによって、発光ＬＥＤ３２からの発光をレンズ３５が導光し、照光窓３４から電子機器外部に照らしている。上ケース３３にはまた、レンズ３５を保持するために、プリント基板３１に向けて保持リブ３３ａが形成されている。
【００２２】
このレンズ３５は、二種類の成形材料によって二層構造で構成されている。内層部３５ａは導光・照光性を確保するべく白系材料からなり、外層部３５ｂは遮光性を確保するべく黒系材料からなる。白系材料も黒系材料も材質としては、ポリカーボネート、ＡＢＳ樹脂等の一般的に成形できるものであればよく、導光・照光性や遮光性という目的が達せられれば、成形材料としては何が用いられてもよい。この二層構造のレンズ３５は、二色成形法により作製することが最も簡便な手法であるが、別々に成形して、被せるように作製してもよい。
【００２３】
また、レンズ３５の外層部３５ｂには上ケース３３の保持リブ３３ａに嵌合するためのフランジ３５ｃを設けることができる。ここで、図４は、上ケース３３の保持リブ３３ａとレンズ３５のフランジ３５ｃが嵌合している状態を端末内部から見た図である。保持リブ３３ａに設けた凹部にフランジ３５ｃが圧入することにより、レンズ３５の回転や上ケース３３からの脱落等を防止する事ができる。
【００２４】
この照光部３９の構成では、発光ＬＥＤ３２からの発光は、発光ＬＥＤ３２の外層部３５ｂで吸収ないし反射されるため、上ケース３３に導光されることはなくなり（発光Ａ）、照光窓３４の周辺から光漏れが発生することもなくなる（発光Ｂ）。また、発光ＬＥＤ３２からの発光は、電子機器内部に拡散してしまうこともない（発光Ｃ）。また、発光Ａ、Ｂ及びＣの反射光をさらに利用して、発光窓３４をより効果的に照らすことができる。
【００２５】
また、ＰＥＴ等で作製された遮光シートを上ケース３３に貼り付けることもないので、部材の増加及び貼り付け工数の増加も生じない。さらに、従来技術として用いた遮光シー
トが上ケース３３とレンズ３５の隙間から見えてしまうという外観面での問題も生じない。
また、内層部３５ａと外層部３５ｂで成形材料を変えられ、内層部３５ａに導光・照光性を満足する材料を用いることで、本来の照光部としての目的も損なうことがないばかりか、外層部３５ｂに強度の高い材料を用いることで、高い強度を要求されるフランジ３５ｃの強度アップを図れる。
【００２６】
また、外層部３５ｂに黒系材料としてＡＢＳ樹脂を用い、内層部３５ａに白系材料としてＡＢＳ以外の樹脂を用いて二色成形して作製されたレンズであれば、外層部３５ｂのみにメッキをすることができる。そうすることによって、より外観の見栄えを良くできるとともに、メッキによる遮光性のさらなる向上及び強度向上が図れる。
本実施例では、発光ＬＥＤ３２に対応する位置にそれぞれ照光窓３４が形成されている場合を説明したが、図５のように、照光窓３４の直下に発光ＬＥＤ３２が配置されていない場合であってもよい。この場合でも、発光ＬＥＤ３２の発光（発光Ｅ）が反射することにより、または内層部３５ａの材料の導光・拡散性により照光窓３４を十分に照らすことができる。
【００２７】
また、本実施例では、レンズ３５の外層部３５ｂが上ケース３３の表面まで来ている場合を説明したが、図５のように、必要に応じて一部を削除しても良い。外層部３５ｂが内層
部３５ａを完全に覆う必要は無く、この発明の要旨を逸脱しない範囲で種々変形して実施できる。この場合でも、本発明の効果は十分に達成する事ができる。照光部３９を下ケース３６側に配置する事ができることは言うまでもない。
【００２８】
また、前記実施形態では携帯電話端末を例にとって説明したが、ＰＤＡ等のその他の携帯通信端末や、ゲーム機器、オーディオ／ビデオプレーヤ、ディジタルカメラ等の電子機器一般にこの発明は適用可能である。その他、この発明の要旨を逸脱しない範囲で種々変形して実施できる。
【００２９】
要するにこの発明は、上記各実施形態そのままに限定されるものではなく、実施段階ではその要旨を逸脱しない範囲で構成要素を変形して具体化できる。また、上記各実施形態に開示されている複数の構成要素の適宜な組み合せにより種々の発明を形成できる。例えば、各実施形態に示される全構成要素から幾つかの構成要素を削除してもよい。さらに、異なる実施形態に亘る構成要素を適宜組み合せてもよい。
【図面の簡単な説明】
【００３０】
【図１】本発明を適用した携帯電話端末の斜視図である。
【図２】本発明を適用した携帯電話端末の内部構成を示すブロック図である。
【図３】本発明を適用した携帯電話端末の照光部のＸ−Ｘ断面図である。
【図４】本発明を適用した携帯電話端末の照光部の内部図である。
【図５】本発明を適用した携帯電話端末の照光部の変形例のＸ−Ｘ断面図である。
【図６】従来の電子機器の照光部の構成を示した断面図である。
【図７】従来の電子機器の照光部のその他の例の構成を示した断面図である。
【図８】従来の電子機器の照光部のその他の例の構成を示した断面図である。
【符号の説明】
【００３１】
３１、６１  プリント基板
３２、６２  発光ＬＥＤ
３３、６３  上ケース
３３ａ  保持リブ
６３ａ  遮光リブ
３４、６４  照光窓
３５、６５  レンズ
３５ａ  内層部
３５ｂ  外層部
３５ｃ  フランジ
Ａ、Ｂ、Ｃ、Ｄ、Ｅ  発光
【図１】
2006216609.tif 000003
【図２】
2006216609.tif 000004
【図３】
2006216609.tif 000005
【図４】
2006216609.tif 000006
【図５】
2006216609.tif 000007
【図６】
2006216609.tif 000008
【図７】
2006216609.tif 000009
【図８】
2006216609.tif 000010